(57)【特許請求の範囲】
【請求項１】
基礎面上に打設されるコンクリートの層厚より低い高さを有し、立ち上げ部が略稲妻状に屈曲された目地プレートが、上端が前記コンクリートの表面と一致するとともに、下端が前記基礎面との間に隙間を有するように、該隙間に介在させたスペーサによって高さ調整され、サポート部材により前記基礎面上にその高さが保持されるように、前記サポート部材の片方の部材が前記立ち上げ部の略稲妻形状に倣って傾けて固着され、前記コンクリート内に埋設されたことを特徴とするコンクリート目地構造。
【請求項２】
前記目地プレートは、コンクリート打設時にせき板としてコンクリート打設部位を区画してコンクリート側圧に抵抗するとともに、打設されたコンクリートの一部が前記目地プレート下端の隙間から隣接区画にはみ出し、前記コンクリート側圧が前記目地プレートの下端で軽減されるように、コンクリート打設されたことを特徴とする請求項１に記載のコンクリート目地構造。
【請求項３】
前記目地プレート下端の隙間を介して隣接区画にはみ出したコンクリートと該隣接区画に打設されたコンクリートが一体化することを特徴とする請求項２に記載のコンクリート目地構造。
【請求項４】
前記目地プレート同士が十字形、Ｔ字形、あるいはＹ字形をなして交差する連結部において、通し部材となる目地プレートに突け合わされる他の目地プレートの端部が、前記通し部材となる目地プレートの立ち上げ部の前記略稲妻状の屈曲形状に相対する位置で切欠かれたことを特徴とする請求項１に記載のコンクリート目地構造。
【発明の詳細な説明】
【技術分野】
【０００１】
本発明はコンクリート目地構造に係り、特に土間コンクリート等のコンクリート床、防水層、断熱層の押えコンクリート層の所定位置に、ひび割れ誘発目地として設けられるコンクリート目地構造に関する。
【背景技術】
【０００２】
所定厚に敷設転圧された砕石や貧配合の均しコンクリートからなる基礎面上に打設される土間コンクリート等のコンクリート床は広い平面積を有する場合、コンクリートの乾燥収縮等によって表面にひび割れが生じることが予想される。そこで、この種のコンクリート床では、あらかじめコンクリート面の想定した位置にひび割れを発生させるために誘発目地を設けるのが一般的である。この誘発目地としては、予め目地方向に沿ってコンクリート面にカッター目地等の細溝状のスリットを形成したり、樹脂製等の棒状目地材を埋設してコンクリートひび割れの制御を図る誘発目地構造が種々提案されている（特許文献１、特許文献２参照）。
【０００３】
たとえば特許文献１は、コンクリート床の誘発目地発生予定位置のコンクリート打設面に、スラブ厚の半分程度の高さのスリット目地材を釘またはクロステープで固定し、コンクリート打設した後に、スリット目地材が埋設された直上のコンクリート表面に所定深さのカッター目地を形成するようになっている。これにより、乾燥収縮ひび割れは、このカッター目地の底部に発生し、コンクリート内を伝播して底部のスリット目地材の上端に達することができる。
【０００４】
特許文献１の誘発目地構造では、スリット目地材を埋設した位置のコンクリート床表面に精度良くカッター目地を形成しなければならず、施工が難しいことが指摘された（特許文献２［０００７］参照）。そこで、同一出願人による特許文献２では、底板部と立ち上げ板部とから構成されたスリット目地材が提案されている。このスリット目地材によれば、立ち上げ板部の上端がコンクリート床の表面まで達しているため、特許文献１のようにコンクリート床表面にカッター目地を設ける手間が省ける。
【０００５】
【特許文献１】特許第２６４２２８９号公報
【特許文献２】特許第２６４２２９３号公報
【発明の開示】
【発明が解決しようとする課題】
【０００６】
ところで、上述の特許文献２に開示されたスリット目地材は略逆Ｔ字形をなす断面を有し、その底板部を均しコンクリート上に釘またはクロステープで固定するようになっており、固定状態において立ち上げ板部は上端部がフリーの片持ち状態にある。このスリット目地材をスラブコンクリート打設時の打設区画のせき板として利用してコンクリートを打設すると、片持ち状態の立ち上げ板部がコンクリート側圧を受けて湾曲してしまい、目地の通り芯が狂ってしまうおそれがある。また、釘等による底板部の固定が不十分な場合にはコンクリート側圧を受けたスリット目地材が転倒してしまうおそれもある。
【０００７】
また、特許文献２に開示されたスリット目地材では、スリット目地材がスラブコンクリートの上面から底面まで連続して位置し、この部分でスラブコンクリートが分断されている。このため、スリット目地材とコンクリートとの付着が不十分な場合には、施工当初より水みちが形成されてしまい、スラブコンクリート表面に地下水が浸透するおそれもある。この問題を回避するために特許文献２では、立ち上げ板部の側面に水膨張樹脂材を設けることも示している。
【０００８】
そこで、本発明の目的は上述した従来の技術が有する問題点を解消し、土間コンクリート等のコンクリート打設時にせき板としての強度を保持し、通り芯を保持した目地構造を形成できるとともに、乾燥収縮に対して効果的にひび割れ発生制御を行えるようにしたコンクリート目地構造を提供することにある。
【課題を解決するための手段】
【０００９】
上記目的を達成するために、本発明は基礎面上に打設されるコンクリートの層厚より低い高さを有し、立ち上げ部が略稲妻状に屈曲された目地プレートが、上端が前記コンクリートの表面と一致するとともに、下端が前記基礎面との間に隙間を有するように、該隙間に介在させたスペーサによって高さ調整され、サポート部材により前記基礎面上にその高さが保持されるように、前記サポート部材の片方の部材が前記立ち上げ部の略稲妻形状に倣って傾けて固着され、前記コンクリート内に埋設されたことを特徴とする。
【００１０】
前記目地プレートは、コンクリート打設時にせき板としてコンクリート打設部位を区画してコンクリート側圧に抵抗するとともに、打設されたコンクリートの一部が前記目地プレート下端の隙間から隣接区画にはみ出し、前記コンクリート側圧が前記目地プレートの下端で軽減されるように、コンクリート打設することが好ましい。
【００１１】
前記目地プレート下端の隙間を介して隣接区画にはみ出したコンクリートと該隣接区画に打設されたコンクリートを一体化させることが好ましい。
【００１２】
前記目地プレート同士が十字形、Ｔ字形、あるいはＹ字形をなして交差する連結部において、通し部材となる目地プレートに突け合わされる他の目地プレートの端部が、前記通し部材となる目地プレートの立ち上げ部の前記略稲妻状の屈曲形状に相対する位置で切欠くことが好ましい。
【発明の効果】
【００１３】
以上に述べた本発明によれば、土間コンクリート等の打設時に、目地構造の通り芯の直線性が確実に確保されるとともに、目地プレートの下端に形成された隙間をコンクリートが埋めるため、目地プレートで区画された場合にも土間コンクリート部分の底面位置でコンクリートの一体性が確実に果たされ、これによりコンクリート床の水密性が確実に確保される等の効果を奏する。
【発明を実施するための最良の形態】
【００１４】
以下、本発明のコンクリート目地構造の実施するための最良の形態として、以下の実施例について添付図面を参照して説明する。
【実施例】
【００１５】
図１は、基礎面としての均しコンクリート１上に固定された本発明のコンクリート目地構造１０に用いられる目地プレート１１の断面形状と固定状態とを説明するために示した斜視図である。目地プレート１１は、同図及び図２に示したように、上部鉛直面部１１ａと下部鉛直面部１１ｂとの間に稲妻状をなした大小の屈曲部１１ｃが連続するように曲げ加工された立ち上げ部と、下部鉛直面部１１ｂの下端部でほぼ直角に屈曲した下端フランジ１１ｄとが一体的に形成された断面形状からなり、本実施例では厚さ２．３mmmの所定断面形状に屈曲加工された長尺ステンレス鋼材で製作されている。この目地プレート１１を、長い区間に敷設する際には、立ち上げ部に添え板を宛って接続して使用することが好ましい。
【００１６】
目地プレート１１の部材高さは、打設される土間コンクリート、床コンクリート等のコンクリート厚より３０mm程度短くなるように設定されている。すなわち、目地プレート１１は、上端がコンクリート表面６ａと同じ高さに位置するように下端フランジ１１ｄ下にキャンバー（くさび）３が宛われ、均しコンクリート１の表面から３０mm程度の隙間７をあけた状態に高さ調整され、均しコンクリート１上にサポート部材１４（後述する。）により安定状態が保持され、固定されるようになっている。なお、この均しコンクリート１と目地プレート１１の下端との間の隙間７は、設計コンクリート厚等に応じて適宜設定することが好ましく、その際、設置する目地プレート１１の部材高さを変更して対応すればよい。
【００１７】
目地プレート１１はコンクリート床の目地構造１０として機能するために取り付けられるが、図２、図３各図に示したように、コンクリート６Ａ，６Ｂの打設の際には仮設的なせき板としての役目も果たすことが求められる。すなわち、目地プレート１１の一方の側にコンクリート厚に相当するコンクリート６Ａが打設された際に生じるコンクリート側圧に対しても、目地プレート１１が変位したり、変形したりしないように、固定する必要がある。そのため本実施例では、均しコンクリート１の所定位置にアンカーピン４を設け、このアンカーピン４に目地プレート１１を支持させるために、目地プレート１１とアンカーピン４とをサポート鋼材１４で繋ぐように溶接固定して、目地プレート１１を均しコンクリート１上の所定位置に固定保持させるようにした。
【００１８】
本実施例では、サポート鋼材１４として２本の短尺の山形鋼を、長手方向に所定間隔をあけて配置されたキャンバー３によって高さ調整された目地プレート１１の稲妻状の屈曲部１１ｃを両側から保持するように、たとえば側面視して「ハ」字形をなすように宛い、端部で目地プレート１１の部材面とアンカーピン４とを繋ぐように溶接固定している。サポート鋼材１４は、図１〜図３に示したように、片方のサポート鋼材１４が稲妻状の屈曲形状の傾斜面に倣って目地プレート１１に固着され、他方のサポート鋼材の端部が目地プレート１１の一部を固定支持するように配置されている。これにより、目地プレート１１がコンクリート側圧に確実に抵抗できるようになる。
【００１９】
なお、本実施例では、サポート鋼材１４は目地プレート１１の設置時に、目地プレート１１に直接溶接されるが、あらかじめ工場出荷時に脚付き部材として目地プレート１１に溶接しておいて現場搬入するようにしてもよいし、目地プレート１１側に図示しないタブを取り付けておき、そのタブにサポート鋼材１４の端部を溶接したり、ネジ止めするような構造としてもよい。サポート鋼材１４は、形鋼に限定されず、丸棒、ネジ棒等としてもよく、ネジ棒の場合には中間位置に長さ調整可能なターンバックルを備えるようにしても良い。
【００２０】
一方、目地プレート１１の上端には断面Ｈ字形をなすジョイント部材５が装着されている。このジョイント部材５は、コンクリート表面６ａの長手方向にわたって形成される目地構造１０の通り芯の直線性を保持させる役割を果たす。通常は、アルミニウム成形材、合成樹脂成形材が用いられる。
【００２１】
図３には、キャンバーで高さ調整された目地プレート１１の下端に、補助的にサポート鋼材１５を配置した変形例が示されている。目地プレート１１の下端がキャンバー３上に載置された状態で支持されている場合、一方の側のコンクリート６Ａを打設した際、目地プレート１１の下端がコンクリート側圧を受けて変位し、キャンバー３（図２）から外れる可能性がある。この場合、目地プレート１１は、すでにサポート鋼材１４によって固定されているので、高さの変動等の不具合は生じないが、コンクリート厚が大きい場合等は、予想される側圧の大きさに応じて下端の変位量も大きくなることが予想される。その場合には、図３に示したように、目地プレート１１の下端の変位を防ぐために、補助的にサポート鋼材１５による保持を行うことが好ましい。
【００２２】
次に、この目地プレート１１を均しコンクリート１上に固定した状態でコンクリートを打設する工程について、図４を参照して説明する。
ジョイント部材５の上端がコンクリート表面６ａの高さに等しくなるように、目地プレート１１の高さを調整してサポート鋼材１４で均しコンクリート１上に、目地の通り芯が直線をなすように固定する（図４（ａ））。次いで、この目地プレート１１がせき板となる範囲にコンクリート６Ａを打設する。このとき目地プレート１１の下端と均しコンクリート１との間には隙間７が設けられているため、目地プレート１１下端がわずかに変位することで、目地プレート１１に作用するコンクリート側圧が軽減される。またこの隙間７からコンクリート６Ａの一部６ｂが隣の区画にわずかにはみ出る（図４（ｂ））。その後、隣接区画のコンクリート６Ｂを打設するが、はみ出したコンクリート６ｂは新たに打設されたコンクリート６Ｂの一部と一体化し、目地プレート１１を挟んで打設されたコンクリート６Ａ，６Ｂは目地プレート１１の下方位置で連続状態となる。
【００２３】
図５は土間コンクリート等の床面を構成するコンクリートの中間位置に配置された柱位置における目地プレート１１の設置例を示した斜視図である。図６は目地プレート１１で区切られた床面のコンクリート打設状態を模式的に示した平面図である。本実施例では、各柱位置８Ａ，８Ｂにおいても目地構造１０の連続性を保持するために、図５に示したように、中間柱８Ａを囲むように目地プレート１１を四角形状に連結し、あるいは壁柱８Ｂでは、図６に示したように目地プレート１１を直角三角形状に連結し、各方向から柱芯に向かう目地プレート１１の端部を連結部の各頂点（図６平面図参照）で分岐させて連結するようにした。これにより、コンクリート床面は所定間隔をあけて目地プレート１１によって複数の区画に区分けされ、個々のコンクリート床区画及び柱下部においてコンクリート打設を進め、床面全体のコンクリート打設を行うことができる。
【００２４】
また、図６の一部に、乾燥収縮等によるひび割れ発生をより確実に防止するために中間柱８Ａ、壁柱８Ｂで囲まれた床面の一部をさらに目地プレート１１で４分割した例を示している。これら目地プレート１１の配置において、目地プレート１１同士は図６に丸印で囲まれ、矢印で示された連結部Ｊ１（十字形連結）、Ｊ２（Ｔ字形連結）、Ｊ３（Ｙ字形連結）で、それぞれの端部が連結される。このときの連結部の目地プレート１１Ａ，１１Ｂの端部結合状態を、図７を参照して説明する。目地プレート１１Ａを通し材とし、この目地プレート１１Ａに目地プレート１１Ｂを直角（十字形部Ｊ１、Ｔ字形部Ｊ２）に取り付ける場合、本実施例では、目地プレート１１Ｂの屈曲部１１ｃの一部を角形の切欠部１６を形成し、目地プレート１１Ａ，１１Ｂの上部鉛直面部１１ａと下部鉛直面部１１ｂ同士が突け合わせられ、これにより目地プレート１１Ｂの連続性が保たれるようになっている。また目地プレート１１Ａ，１１Ｂの先端を、柱位置近傍で所定の交差角（Ｙ字形部Ｊ３）で分岐連結させる場合にも、一方の目地プレートの端部に切欠部を設けて連結部での目地プレートの連続性が保たれるようにすることが好ましい。
【００２５】
以上の説明では、図１に示したように、土間コンクリート６を均しコンクリート１上に打設する実施例について説明したが、本発明は、均しコンクリート１を施工せずに基礎砕石（図示せず）を敷設し、転圧して施工して得られた基礎面上に直接、土間コンクリートを打設する場合にも適用可能である。この場合には目地プレート１１を設置する際に、目地構造の通り芯の直線性が確実に確保されるともに、基礎面の不陸を隙間７で確実に吸収でき、これにより土間コンクリート表面の平滑度、勾配を精度良く設定できるという効果も期待できる。
【００２６】
また、屋上やバルコニー等の躯体コンクリート面に、アスファルト防水工等の防水層や、外部断熱層が施工されることがあるが、これら防水層や断熱層の表面に保護層として押えコンクリートが施工される場合がある。この押えコンクリート面の適切な位置に目地を設けるために、本発明の目地構造を適用することも可能である。
【図面の簡単な説明】
【００２７】
【図１】本発明のコンクリート目地構造の一実施例の目地プレートの固定状態を示した部分断面斜視図。
【図２】図１に示した目地プレートによるコンクリート目地構造の断面図。
【図３】図２における目地プレートの下端の固定構造の変形例を示した断面図。
【図４】コンクリート目地構造部分でのコンクリート打設工程を示した施工順序図。
【図５】中間柱下部位置での目地プレートの設置例を示した斜視図。
【図６】目地プレートで区画された土間コンクリート床面でのコンクリート打設状態を示した土間平面図。
【図７】目地プレート同士の連結部での端部形状例を示したコンクリート目地構造の断面図。
【符号の説明】
【００２８】
１  均しコンクリート
３  キャンバー
４  アンカーピン
６，６Ａ，６Ｂ  コンクリート（土間コンクリート）
７  隙間
１０  目地構造
１１，１１Ａ，１１Ｂ  目地プレート
１４，１５  サポート鋼材
１６  切欠部
【図１】
0003686909.tif 000002
【図２】
0003686909.tif 000003
【図３】
0003686909.tif 000004
【図４】
0003686909.tif 000005
【図５】
0003686909.tif 000006
【図６】
0003686909.tif 000007
【図７】
0003686909.tif 000008